(57)【要約】【課題】  ＤＳＵのバラツキに左右されずにハングアップ解除動作を確実に実現する。【解決手段】  ＤＳＵ２０から上位局へ送信されるバーストフレームを検出する検出回路１２と、バーストフレームが検出されなくなってからの経過時間を監視し、当該経過時間が制限時間に達した場合にタイムアウト信号を出力する監視タイマ１４と、タイムアウト信号が出力された場合、ハングアップ状態解除のためのリセット信号をＤＳＵ２０へ出力するリセット制御回路１３と、リセット信号が出力された回数をカウントするカウンタ１５とを備えたＤＳＵハングアップ解除装置１０であり、リセット制御回路１３は、リセット信号の出力後もなおバーストフレーム未検出状態が継続した場合、タイムアウト信号の出力時に再度リセット信号をＤＳＵ２０へ出力するが、その出力回数が上限回数に到達したらリセット信号の出力を中止する。【選択図】  図１
2005203888.tif 000002
【特許請求の範囲】
【請求項１】
ＤＳＵと上位局間の加入者線上に設けられ、当該ＤＳＵのハングアップ状態を解除するためのＤＳＵハングアップ解除装置であって、
ＤＳＵから上位局へ送信されるバーストフレームを検出するフレーム検出部と、
前記フレーム検出部によりバーストフレームが検出されなくなってからの経過時間を監視し、当該経過時間が予め定められた制限時間に達した場合、タイムアウト信号を出力する未検出時間監視部と、
前記未検出時間監視部がタイムアウト信号を出力した場合、ＤＳＵのハングアップ状態を解除するためのリセット信号をＤＳＵへ出力するリセット制御部と、
を備えたＤＳＵハングアップ解除装置。
【請求項２】
前記リセット制御部がリセット信号を出力した出力回数をカウントするリセット回数カウント部をさらに備え、
前記リセット制御部は、
リセット信号をＤＳＵへ出力した後、バーストフレームの未検出状態が継続した場合、未検出時間監視部からのタイムアウト信号の出力時に再度リセット信号をＤＳＵへ出力し、前記リセット回数カウント部によりカウントされた出力回数が予め定められた上限回数に到達したときに、リセット信号の出力を中止する、
ことを特徴とする請求項１記載のＤＳＵハングアップ解除装置。
【発明の詳細な説明】
【技術分野】
【０００１】
本発明は、メタリック加入者線伝送方式において、ＤＳＵのハングアップ状態を解除するためのＤＳＵハングアップ解除装置に関する。なお、「ＤＳＵ」とは加入者回線終端装置（Digital Service Unit）を意味する。
【背景技術】
【０００２】
メタリック加入者線伝送方式において、局給電タイプのＤＳＵは、上位局に設置されたＯＣＵ（局内回線終端装置（Office Channel Unit））からの定電流給電（直流重畳約３９ｍＡ）により電力供給されている。このため、上記タイプのＤＳＵには、落雷誘導等による加入者線への異常電圧から内部回路を守るための保護回路が内蔵されている。この保護回路は、加入者線に概ね５０Ｖ以上の電圧が印加された場合、当該保護回路の内部インピーダンスを上げて過受電とならないように動作し、これによりＤＳＵは一時的に機能停止状態（いわゆるハングアップ状態（回線断））となる。
【０００３】
一方、ＯＣＵはＤＳＵに対し定電流給電を行うため、給電時における負荷インピーダンスに比例した電圧値まで給電電圧を上昇させるよう動作することから、ＤＳＵにおいて落雷誘導等による過電圧が無くなった後も当該ＤＳＵは高電圧を検出したままとなり、この状態が保持される。ＤＳＵがこの状態から抜け出すためには、一時的に給電電圧をゼロ又はリバースにして当該ＤＳＵの保護回路をリセットさせる必要がある。ところが、ＤＳＵの設置場所が無人の場合、上位局での復旧作業等の手作業を伴うため、ＤＳＵの保護回路のリセットまでに長時間を要していた。
【０００４】
上記のような課題に対処するため、ＤＳＵ近傍の加入者線上に、予め定められた電圧しきい値以上の加入者線間電圧（異常電圧）を検出するための付加装置を設け、当該付加装置が異常電圧を検出した時に、自動的にＤＳＵの保護回路をリセットしてＤＳＵのハングアップ状態を解除する技術が提案されている（下記の特許文献１参照）。
【特許文献１】特開２００２−１９９１２５号公報
【発明の開示】
【発明が解決しようとする課題】
【０００５】
しかしながら、上記の技術では、付加装置は加入者線上の異常電圧を検出するのみでＤＳＵの機能停止状態を直接検出しているわけではない。また、ＤＳＵの保護回路の動作開始電圧、異常電圧検出のための電圧しきい値、及び異常電圧検出の検出時間幅に関し、ＤＳＵごとのバラツキが生じるおそれがあった。このようなことから、自動的なリセット動作は発生するものの、ＤＳＵの保護回路はリセットされずＤＳＵのハングアップ状態の解除に失敗するといった誤動作が生じるおそれがあった。
【０００６】
本発明は、上記課題を解決するために成されたものであり、ＤＳＵのバラツキに左右されずにハングアップ解除動作を確実に実現することができるＤＳＵハングアップ解除装置を提供することを目的とする。
【課題を解決するための手段】
【０００７】
本願発明者は、ＤＳＵの機能が正常である場合、ＤＳＵから上位局へバーストフレームが送信されるということに着目し、ＤＳＵから上位局へのバーストフレームが所定時間継続して検出されないことをもって当該ＤＳＵが機能停止状態にあると判断するという着想に至った。
【０００８】
本発明に係るＤＳＵハングアップ解除装置は、ＤＳＵと上位局間の加入者線上に設けられ、当該ＤＳＵのハングアップ状態を解除するためのＤＳＵハングアップ解除装置であって、ＤＳＵから上位局へ送信されるバーストフレームを検出するフレーム検出部と、前記フレーム検出部によりバーストフレームが検出されなくなってからの経過時間を監視し、当該経過時間が予め定められた制限時間に達した場合、タイムアウト信号を出力する未検出時間監視部と、前記未検出時間監視部がタイムアウト信号を出力した場合、ＤＳＵのハングアップ状態を解除するためのリセット信号をＤＳＵへ出力するリセット制御部とを備えたことを特徴とする。
【０００９】
上記構成のＤＳＵハングアップ解除装置では、フレーム検出部が、ＤＳＵから上位局へ送信されるバーストフレームを検出する。このとき、未検出時間監視部は、フレーム検出部によりバーストフレームが検出されなくなってからの経過時間を監視する。そして、当該経過時間が予め定められた制限時間に達した場合、明らかに当該ＤＳＵが機能停止状態にあると判断することができる。このとき、未検出時間監視部は、タイムアウト信号を出力する。このタイムアウト信号の出力をトリガーとして、リセット制御部は、ＤＳＵのハングアップ状態を解除するためのリセット信号をＤＳＵへ出力する。
【００１０】
このように本発明のＤＳＵハングアップ解除装置は、バーストフレームが検出されなくなってからの経過時間が制限時間に達したことにより当該ＤＳＵが機能停止状態にあると確実に判断した上で、ＤＳＵのハングアップ状態を解除するためのリセット信号をＤＳＵへ出力する。このため、ＤＳＵごとのバラツキに左右されずにハングアップ解除動作を確実に実現することができる。
【００１１】
また、本発明のＤＳＵハングアップ解除装置は、リセット制御部がリセット信号を出力した出力回数をカウントするリセット回数カウント部をさらに備え、上記リセット制御部が、リセット信号をＤＳＵへ出力した後、バーストフレームの未検出状態が継続した場合、未検出時間監視部からのタイムアウト信号の出力時に再度リセット信号をＤＳＵへ出力し、リセット回数カウント部によりカウントされた出力回数が予め定められた上限回数に到達したときにリセット信号の出力を中止する構成とすることが望ましい。
【００１２】
上記のような構成の場合、リセット制御部は、リセット信号をＤＳＵへ出力した後、バーストフレームの未検出状態が継続したとき、未検出時間監視部からのタイムアウト信号の出力時に再度リセット信号をＤＳＵへ出力する。このようにリセット制御部によりリセット信号が出力された出力回数は、リセット回数カウント部によりカウントされる。そして、カウントされた出力回数が予め定められた上限回数に到達すると、リセット信号の出力は中止される。
【００１３】
これにより、ＤＳＵがハングアップ以外の原因で機能停止状態にある場合（例えば、ＤＳＵにハードウェア的な故障があった場合等）に、リセット制御部によるリセット信号の無駄な出力動作を回避することができる。
【発明の効果】
【００１４】
本発明のＤＳＵハングアップ解除装置は、バーストフレームが検出されなくなってからの経過時間が制限時間に達したことにより当該ＤＳＵが機能停止状態にあると確実に判断した上で、ＤＳＵのハングアップ状態を解除するためのリセット信号をＤＳＵへ出力する。このため、ＤＳＵごとのバラツキに左右されずにハングアップ解除動作を確実に実現することができる。
【発明を実施するための最良の形態】
【００１５】
以下、図面を参照しながら、本発明のＤＳＵハングアップ解除装置の一実施形態を説明する。
【００１６】
図１には、ＤＳＵハングアップ解除装置の一構成例を示す。この図１に示すように、ＤＳＵハングアップ解除装置１０は、対象となるＤＳＵ２０と上位局（具体的には、上位局に設置されたＯＣＵ（不図示））との間の加入者線Ｌ１、Ｌ２上に設けられている。このＤＳＵハングアップ解除装置１０は、保護回路１１、フレームパルス検出回路１２、リセット制御回路１３、監視タイマ１４及びカウンタ１５を含んで構成される。このうち、フレームパルス検出回路１２は本発明に係る「フレーム検出部」に、リセット制御回路１３は「リセット制御部」に、監視タイマ１４は「未検出時間監視部」に、カウンタ１５は「リセット回数カウント部」に、それぞれ対応する構成部である。
【００１７】
保護回路１１は、落雷誘導等による異常電圧からフレームパルス検出回路１２等の内部回路を守るための回路である。なお、保護回路１１と同様の機能を持つ保護回路２１は、ＤＳＵ２０にも内蔵されている。
【００１８】
フレームパルス検出回路１２は、ＤＳＵ２０から上位局のＯＣＵへ送信されるバーストフレームを検出する回路である。監視タイマ１４は、フレームパルス検出回路１２によりバーストフレームが検出されなくなってからの経過時間を監視し、当該経過時間が予め定められた制限時間に達した場合に、タイムアウト信号をリセット制御回路１３へ出力する動作を行うタイマである。
【００１９】
リセット制御回路１３は、監視タイマ１４がタイムアウト信号を出力した場合、ＤＳＵ２０のハングアップ状態を解除するためのリセット信号を当該ＤＳＵ２０へ出力する回路である。また、カウンタ１５は、リセット制御回路１３がリセット信号を出力した出力回数ｎをカウントするカウンタである。
【００２０】
上記リセット制御回路１３は、リセット信号をＤＳＵ２０へ出力した後もなお、バーストフレームの未検出状態が継続した場合、監視タイマ１４からのタイムアウト信号の出力時に再度リセット信号をＤＳＵ２０へ出力する。このようなリセット信号の出力は、カウンタ１５によりカウントされた出力回数ｎが予め定められた上限回数Ｎに到達するまで繰り返し実行され、当該カウントされた出力回数ｎが上限回数Ｎに到達したときにリセット信号の出力は中止される。
【００２１】
次に、図２を用いてＤＳＵハングアップ解除装置１０における処理動作を説明する。なお、この図２は、ＤＳＵハングアップ解除装置１０における一連の処理動作を説明するために、当該処理動作をフローチャート形式で示したものである。図２の処理動作は、所定時間おきに実行されるものでもよいし、インターバル無く繰り返し実行されるものでもよい。
【００２２】
まず、初期設定処理として、カウンタ１５によるカウント値ｎ（リセット制御回路１３がリセット信号を出力した出力回数に関するカウント値）が「０」にリセットされる（図２のＳ１）。
【００２３】
その後、フレームパルス検出回路１２により、ＤＳＵ２０からのバーストフレームの検出が試みられる（Ｓ２）。ここで、バーストフレームが検出されれば、ＤＳＵ２０は機能停止状態ではないと判断できるので、本発明に関する処理は終了する。
【００２４】
一方、Ｓ３でバーストフレームが検出されなければ、ＤＳＵ２０は機能停止状態であるおそれがあるため、以下のような本発明の特徴的な動作が行われる。
【００２５】
まず、監視タイマ１４が、フレームパルス検出回路１２によりバーストフレームが検出されなくなってからの経過時間を監視するためのタイマをリセットし当該経過時間の測定を開始する（Ｓ４）。そして、フレームパルス検出回路１２により、ＤＳＵ２０からのバーストフレームの検出が再度試みられる（Ｓ５）。ここで、バーストフレームが検出されれば、ＤＳＵ２０は機能停止状態ではないと判断できるので、監視タイマ１４における上記タイマを停止した後（Ｓ７）、本発明に関する処理は終了する。
【００２６】
一方、Ｓ６でバーストフレームが検出されなければ、監視タイマ１４は上記タイマがタイムアウトしたか否かをチェックする（Ｓ８）。ここで、上記タイマがタイムアウトしていない場合（バーストフレームが検出されなくなってからの経過時間が予め定められた制限時間に達していない場合）は、Ｓ５へ戻り、フレームパルス検出回路１２によるバーストフレームの検出再試行が行われる。
【００２７】
このように、Ｓ６でバーストフレームが検出されなければ、バーストフレームが検出されなくなってからの経過時間が制限時間に達するまで、フレームパルス検出回路１２によるバーストフレームの検出再試行（Ｓ５）が繰り返される。そして、バーストフレームが検出されなくなってからの経過時間が制限時間に達した場合、ＤＳＵ２０は機能停止状態であると判断できるので、ＤＳＵ２０をリセットするための以下のような一連の動作に移る。
【００２８】
即ち、監視タイマ１４は、バーストフレームが検出されなくなってからの経過時間が制限時間に達したことを示すタイムアウト信号をリセット制御回路１３へ出力する（Ｓ９）。そして、このタイムアウト信号を受信したリセット制御回路１３は、ＤＳＵ２０のハングアップ状態を解除するためのリセット信号を当該ＤＳＵ２０へ出力する（Ｓ１０）。このときカウンタ１５は、リセット制御回路１３がリセット信号を出力した出力回数のカウント値ｎを１つカウントアップする（Ｓ１０）。
【００２９】
上記Ｓ１０でのリセット信号の出力は、Ｓ６でバーストフレームが検出された場合を除き、カウント値ｎ（リセット信号の出力回数）が予め定められた上限回数Ｎに到達するまで繰り返し実行される（Ｓ４〜Ｓ１１）。
【００３０】
Ｓ６でバーストフレームが検出されることなく、カウント値ｎ（リセット信号の出力回数）が予め定められた上限回数Ｎに到達した場合、ＤＳＵ２０がハングアップ以外の原因で機能停止状態にある（例えばＤＳＵ２０にハードウェア的な故障がある等）と判断できるので、以後はＳ４〜Ｓ１１の処理の繰り返しを中止し、図２の一連の処理を終了する。
【００３１】
以上のように、ＤＳＵハングアップ解除装置１０は、バーストフレームが検出されなくなってからの経過時間が制限時間に達したことによりＤＳＵ２０が機能停止状態にあると確実に判断した上で、ハングアップ状態解除のためのリセット信号をＤＳＵ２０へ出力するため、個々のＤＳＵごとのバラツキに左右されずにＤＳＵのハングアップ解除動作を確実に実現することができる。
【００３２】
また、リセット信号の出力回数のカウント値ｎが上限回数Ｎに到達したら、以後は図２のＳ４〜Ｓ１１の処理の繰り返しを中止するため、リセット制御回路１３によるリセット信号の無駄な出力動作を回避することができる。
【図面の簡単な説明】
【００３３】
【図１】ＤＳＵハングアップ解除装置の構成例を示す構成図である。
【図２】ＤＳＵハングアップ解除装置における処理手順を示す流れ図である。
【符号の説明】
【００３４】
１０…ＤＳＵハングアップ解除装置、１１…保護回路、１２…フレームパルス検出回路、１３…リセット制御回路、１４…監視タイマ、１５…カウンタ、２０…ＤＳＵ、２１…保護回路。
【図１】
2005203888.tif 000003
【図２】
2005203888.tif 000004